(57)【要約】【課題】複数のアンテナを備える携帯端末において、その通信端末の行う通信の品質を向上したい。【解決手段】  第１のアンテナが接地に利用する第１のグラウンドと、第２のアンテナが接地に利用する第２のグラウンドとを分離する。その上で、第１のグラウンドが、第１のアンテナ以外の電子部品によって接地に利用されないようにする。【選択図】図７
2015122657.tif 000002
【特許請求の範囲】
【請求項１】
第１の周波数帯を利用して、当該第１の周波数帯を利用する外部機器と通信し、第２の周波数帯を利用して、当該第２の周波数帯を利用する外部機器と通信する携帯端末であって、
前記第１の周波数帯を利用して行われる通信に利用される第１のアンテナと、
前記第１のアンテナの接地に利用される第１のグラウンド構造体と、
前記第２の周波数帯を利用して行われる通信に利用される第２のアンテナと、
前記第２のアンテナの接地に利用される第２のグラウンド構造体とを備え、
前記第１のグラウンド構造体と前記第２のグラウンド構造体とは分離され、
前記第１のグラウンド構造体を接地に利用する電子部品は、前記第１のアンテナに限定される
ことを特徴とする携帯端末。
【請求項２】
電子部品を装着する回路基板と、
ディスプレイとを備え、
前記第１のグラウンド構造体は、前記ディスプレイを保護するための金属製フレームを含み、
前記第２のグラウンド構造体は、前記回路基板に形成された、前記回路基板に装着される電子部品の接地に利用されるグラウンドプレーンを含む
ことを特徴とする請求項１記載の携帯端末。
【請求項３】
前記第１の周波数帯を利用して行われる通信は、ＣＤＭＡ（Ｃｏｄｅ  Ｄｉｖｉｓｉｏｎ  Ｍｕｌｔｉｐｌｅ  Ａｃｃｅｓｓ）通信方式を利用する通信であり、
前記第２の周波数帯を利用して行われる通信は、ＬＴＥ（Ｌｏｎｇ  Ｔｅｒｍ  Ｅｖｏｌｕｔｉｏｎ）通信方式を利用する通信である
ことを特徴とする請求項２記載の携帯端末。
【請求項４】
前記第１の周波数帯を利用して行われる受信、又は前記第２の周波数帯を利用して行われる受信に利用され得る第３のアンテナと、
前記第３のアンテナが利用されずに、前記第１のアンテナが利用されて前記第１の周波数帯の信号が受信される場合において、受信される受信信号の品質が所定の基準を満たさないときに、前記第３のアンテナを利用すると判定し、当該品質が当該所定の基準を満たすときに、前記第３のアンテナを利用しないと判定する第１の判定部と、
前記第１の判定部によって前記第３のアンテナを利用すると判定された場合に、前記第１のアンテナと前記第３のアンテナとを利用するダイバーシティ方式で、前記第１の周波数帯の信号を受信し、前記第１の判定部によって前記第３のアンテナを利用しないと判定された場合に、前記第３のアンテナを利用せずに、前記第１のアンテナを利用して前記第１の周波数帯の信号を受信する第１の受信部と、
前記第３のアンテナが利用されずに、前記第２のアンテナが利用されて前記第２の周波数帯の信号が受信される場合において、受信される受信信号の品質が所定の基準を満たさないときに、前記第３のアンテナを利用すると判定し、当該品質が当該所定の基準を満たすときに、前記第３のアンテナを利用しないと判定する第２の判定部と、
前記第２の判定部によって前記第３のアンテナを利用すると判定された場合に、前記第２のアンテナと前記第３のアンテナとを利用するダイバーシティ方式で、前記第２の周波数帯の信号を受信し、前記第１の判定部によって前記第３のアンテナを利用しないと判定された場合に、前記第３のアンテナを利用せずに、前記第１のアンテナを利用して前記第２の周波数帯の信号を受信する第２の受信部とを備え、
前記第３のアンテナは、前記第１のグラウンド構造体を接地に利用せずに、前記第２のグラウンド構造体を接地に利用する
ことを特徴とする請求項３記載の携帯端末。
【請求項５】
前記ディスプレイの表示面を含む、略長方形の主平面を有する略直方体の筐体を備え、
前記第１のアンテナと前記第２のアンテナと前記第３のアンテナとは、モノポールアンテナであり、
前記第１のアンテナと前記第２のアンテナとは、前記筐体の内面のうち、前記主平面の短辺側側面の一方に配置され、
前記第３のアンテナは、前記筐体の内面のうち、前記主平面の短辺側側面の他方に配置される
ことを特徴とする請求項４記載の携帯端末。
【発明の詳細な説明】
【技術分野】
【０００１】
本発明は、アンテナを備える携帯端末における、アンテナの接地技術に関する。
【背景技術】
【０００２】
複数のアンテナを備え、これらアンテナを利用して外部機器と通信する携帯端末がある。
このような携帯端末は、一般に、その携帯性を実現するために、比較的小型な筺体内に、アンテナ、電子部品等を格納する必要がある。このため、アンテナ間の距離、及びアンテナと電子部品との距離を比較的大きくすることが困難である。このことにより、携帯端末に搭載された各アンテナは、同じ筐体内の、他のアンテナ、電子部品等による電磁的影響を比較的受けやすい。このため、このような携帯端末においては、アンテナを利用して行う通信の通信品質について、所望の品質レベルを確保することが難しい。
【０００３】
そこで、従来、複数のアンテナを備える携帯端末において、アンテナを利用して行う通信の通信品質を向上させるための技術が提案されている。
例えば、特許文献１には、セルラ用アンテナとＧＰＳ（Global Positioning System）用アンテナとを備える複合アンテナ装置において、セルラ用アンテナが接地に利用するグラウンドと、ＧＰＳ用アンテナが接地に利用するグラウンドとを互いに独立なものとする技術が記載されている。
【０００４】
この技術によると、第１のアンテナ（この例ではセルラ用アンテナ）と第２のアンテナ（この例ではＧＰＳ用アンテナ）との間の相互干渉の程度が低減されることとなる。そして、このことによって、第１のアンテナを利用して行う通信の通信品質と、第２のアンテナを利用して行う通信品質とを向上させることができる。
【先行技術文献】
【特許文献】
【０００５】
【特許文献１】特開２０１０−８７７７４号公報
【発明の概要】
【発明が解決しようとする課題】
【０００６】
しかしながら、特許文献１記載の技術を利用するだけでは、所望の通信品質レベルを確保するために不十分なことがあり、アンテナを利用して行う通信のさらなる品質向上が望まれる。
そこで、本発明は係る問題に鑑みてなされたものであり、従来よりも、アンテナを利用して行う通信の通信品質向上を実現することができる携帯端末を提供することを目的とする。
【課題を解決するための手段】
【０００７】
上記課題を解決するために本発明に係る携帯端末は、第１の周波数帯を利用して、当該第１の周波数帯を利用する外部機器と通信し、第２の周波数帯を利用して、当該第２の周波数帯を利用する外部機器と通信する携帯端末であって、前記第１の周波数帯を利用して行われる通信に利用される第１のアンテナと、前記第１のアンテナの接地に利用される第１のグラウンド構造体と、前記第２の周波数帯を利用して行われる通信に利用される第２のアンテナと、前記第２のアンテナの接地に利用される第２のグラウンド構造体とを備え、前記第１のグラウンド構造体と前記第２のグラウンド構造体とは分離され、前記第１のグラウンド構造体を接地に利用する電子部品は、前記第１のアンテナに限定されることを特徴とする。
【発明の効果】
【０００８】
上述の構成を備える本発明に係る携帯端末によると、第１のアンテナが接地として利用するグラウンドは、第１のアンテナ以外の電子部品の接地として利用されない。このため、この携帯端末に搭載される電子部品が動作することによって発生するノイズが、グラウンドを介して第１のアンテナへ伝搬してしまうことが、従来よりも低減される。従って、この携帯端末は、従来よりも、第１のアンテナを利用して行う通信の通信品質の向上を実現することができる。
【図面の簡単な説明】
【０００９】
【図１】携帯端末１００の外観を示す斜視図
【図２】携帯端末１００の断面図
【図３】タッチパネル２２０が、金属フレーム２５０にはめ込まれて配置される様子を示す模式図
【図４】回路基板２６０の分解斜視図
【図５】主面が取り除かれた状態の筐体１１０の斜視図
【図６】第１アンテナ５１０と第２アンテナ５２０とが回路基板２６０に形成された配線に接続されている様子を示す模式図
【図７】携帯端末１００の回路構成を示すブロック図
【図８】第１アンテナ５１０が第１グラウンド７１０に接地されている様子を示す模式図
【図９】第２アンテナ５２０が第２グラウンド７２０に接地されている様子を示す模式図
【図１０】ＣＤＭＡ通信用ＬＳＩ２６２の機能構成と、ＬＴＥ通信用ＬＳＩ２６３の機能構成とを示すブロック図
【図１１】第１受信方式切替処理のフローチャート
【図１２】第２受信方式切替処理のフローチャート
【発明を実施するための形態】
【００１０】
＜実施の形態＞
＜概要＞
以下、本発明に係る携帯端末の一実施例として、第１アンテナと第２アンテナとを備える携帯端末について説明する。
この携帯端末は、第１アンテナを利用して、８００ＭＨｚ帯のＣＤＭＡ（Code Division Multiple Access）通信方式による通信を基地局との間で行い、第２アンテナを利用して、７００ＭＨｚ帯のＬＴＥ（Long Term Evolution）通信方式による通信を基地局との間で行う。
【００１１】
この携帯端末では、第１アンテナが接地に利用するグラウンドと、第２アンテナが接地に利用するグラウンドとが、物理的に分離されている。そして、第１アンテナが接地に利用するグラウンドは、その携帯端末に搭載された他の電子部品の接地として利用されない。
これらのことにより、この携帯端末では、第１アンテナと第２アンテナとの相互干渉の程度が低く抑えられ、さらに、その携帯端末に搭載された電子部品が動作することによって発生するノイズが、グラウンドを介して第１アンテナへ伝搬してしまう現象も抑制される。
【００１２】
この携帯端末は、上記特徴により、第１アンテナを利用して行う、８００ＭＨｚ帯のＣＤＭＡ通信方式による通信の通信品質を、所望の品質レベルとしている。
以下、この携帯端末の詳細について図面を参照しながら説明する。
＜構成＞
図１は、携帯端末１００の外観を示す斜視図である。
【００１３】
同図に示されるように、携帯端末１００は、略直方体のいわゆるスマートフォンであって、携帯端末１００の略長方形の主表面に、タッチパネル操作面１２０と、レシーバ孔１３０と、マイク孔１４０とを備える。
図２は、携帯端末１００の主表面における長辺側の側面方向から見た、携帯端末１００の断面図である。
【００１４】
同図に示されるように、携帯端末１００は、筐体１１０と、タッチパネル２２０と、金属フレーム２５０と、回路基板２６０と、接続線２７０と、電池２８０とを備える。
ここで、タッチパネル２２０は、液晶ディスプレイ２２４の表示面上に、透明なタッチパッド２２２が重ねられることで構成されている。また、回路基板２６０には、ＣＰＵ（Central Processing Unit）２６１、ＣＤＭＡ通信用ＬＳＩ（Large Scale Integration）２６２、ＬＴＥ通信用ＬＳＩ２６３、メモリ２６４、ＧＰＳ通信用ＬＳＩ２６５、タッチパネルコントローラ２６６、レシーバ２３０、マイク２４０等といった電子部品が装着されている。
【００１５】
金属フレーム２５０は、タッチパネル２２０に外力が加わってしまって破損してしまわないように、タッチパネル２２０を外力から保護するための、例えばステンレス製のシールドケースである。タッチパネル２２０は、金属フレーム２５０にはめ込まれて配置される。
図３は、タッチパネル２２０が、金属フレーム２５０にはめ込まれて配置される様子を示す模式図である。
【００１６】
同図に示されるように、タッチパネル２２０は、タッチパネル２２０の主表面である操作面を除く各面が金属フレーム２５０に覆われるように金属フレーム２５０にはめ込まれて配置される。
再び図２に戻って、携帯端末１００の構成についての説明を続ける。
回路基板２６０は、電子部品を装着し、装着する電子部品間を電気的に接続する多層基板である。
【００１７】
図４は、回路基板２６０の分解斜視図である。
同図に示されるように、回路基板２６０は、第１配線層４６１と、第２配線層４６２と、第３配線層４６３とから構成される。
これら配線層のうち、第１配線層４６１と第２配線層４６２とには、回路基板２６０に装着された部品間の接続に利用される金属薄膜製の配線が形成される。そして、第３配線層４６２には、回路基板２６０に装着された部品の接地に利用される金属薄膜製のグラウンドプレーン４６５が形成される。
【００１８】
再び図２に戻って、携帯端末１００の構成についての説明を続ける。
接続線２７０は、回路基板２６０に形成された配線のうちの１つと、金属フレーム２５０とを電気的に接続する配線である。
図５は、タッチパネル操作面１２０側の面（以下、「主面」と呼ぶ。）が取り除かれた状態の筐体１１０の斜視図である。ここで、図５は、実際には直接視認できない部分の一部について、破線を用いてあたかも視認できるかのように図示している。
【００１９】
同図に示されるように、筐体１１０の内面側表面に、それぞれ金属薄膜製の、第１アンテナ５１０と、第２アンテナ５２０と、第３アンテナ５３０と、第４アンテナ５４０とが、張り付けられている。
第１アンテナ５１０は、電気長約８ｃｍのモノポールアンテナであって、８００ＭＨｚ帯のＣＤＭＡ通信方式による通信に利用される。この第１アンテナ５１０は、筐体１１０の側面のうち、筐体１１０の主面における短辺側の一方の側面（以下、「第１側面」と呼ぶ。）の内面側に、コの字型に折り曲げられて張り付けられている。
【００２０】
第１アンテナ５１０を利用して行う通信の通信品質を良好なものとするためには、第１アンテナ５１０を、携帯端末１００の内部に格納されている金属部品、電子部品等から、比較的遠く離れた位置に配置することが求められる。そして、この第１側面周辺が、その位置に最適な場所である。このため、第１アンテナ５１０は、第１側面に張り付けられて配置されている。
【００２１】
携帯端末１００は、８００ＭＨｚ帯のＣＤＭＡ通信方式による通信を行う場合において、受信時には、シングルアンテナ方式又はダイバーシティアンテナ方式のいずれかの方式で信号を受信し、送信時には、シングルアンテナ方式で信号を送信する。
第１アンテナ５１０は、８００ＭＨｚ帯のＣＤＭＡ通信方式による通信において、（１）シングルアンテナ方式における受信用アンテナ、（２）ダイバーシティアンテナ方式における受信用メインアンテナ、及び（３）送信用アンテナとして利用される。
【００２２】
第２アンテナ５２０は、電気長約８ｃｍのモノポールアンテナであって、７００ＭＨｚ帯のＬＴＥ通信方式による通信に利用される。この第２アンテナ５２０は、第１側面の内面側に、コの字型に折り曲げられて張り付けられている。
第２アンテナ５２０は、第１アンテナ５１０と同様の理由により、第１側面に張り付けられて配置されている。
【００２３】
携帯端末１００は、７００ＭＨｚ帯のＬＴＥ通信方式による通信を行う場合において、受信時には、シングルアンテナ方式又はダイバーシティアンテナ方式のいずれかの方式で信号を受信し、送信時には、シングルアンテナ方式で信号を送信する。
第２アンテナ５２０は、７００ＭＨｚ帯のＬＴＥ通信方式による通信において、（１）シングルアンテナ方式における受信用アンテナ、（２）ダイバーシティアンテナ方式における受信用メインアンテナ、及び（３）送信用アンテナとして利用される。
【００２４】
ここで、第１アンテナ５１０と第２アンテナ５２０とが折り曲げられている理由は、第１アンテナ５１０と第２アンテナ５２０とを折り曲げずに配置するには、第１側面の大きさが十分でないためである。
第１側面の大きさが、第１アンテナ５１０と第２アンテナ５２０とを折り曲げずに配置するに十分であれば、必ずしも、第１アンテナ５１０と第２アンテナ５２０とが折り曲げられている必要はない。
【００２５】
第３アンテナ５３０は、電気長約８ｃｍのモノポールアンテナであって、（１）８００ＭＨｚ帯のＣＤＭＡ通信方式による通信において、ダイバーシティアンテナ方式で受信するときの受信用サブアンテナ、及び（２）７００ＭＨｚ帯のＬＴＥ通信方式による通信において、ダイバーシティアンテナ方式で受信するときの受信用サブアンテナとして利用される。この第３アンテナ５３０は、第１側面に対向する、筐体１１０の主面における短辺側の他方の側面（以下、「第２側面」と呼ぶ。）の内面側に、直線状に張り付けられている。
【００２６】
一般に、ダイバーシティアンテナ方式で信号を受信する場合には、受信用メインアンテナと受信用サブアンテナとは、できるだけ距離を離して配置することが望まれる。これは、これらアンテナの距離が近ければ、一方のアンテナの電波状態が悪くなってしまっている場合に、他方のアンテナの電波状況も悪くなってしまっている可能性が高いからである。
【００２７】
この第２側面周辺は、（１）第１アンテナ５１０及び第２アンテナ５２０からの距離が比較的遠く離れた位置であり、（２）携帯端末１００の内部に格納されている金属部品、電子部品等からも比較的遠く離れた位置である。このため、第３アンテナ５３０は、第２側面周辺に張り付けられて配置されている。
第４アンテナ５４０は、電気長約３ｃｍのモノポールアンテナであって、１．５ＧＨｚ帯のＧＰＳ信号の受信に利用される。この第４アンテナ５４０は、筐体１１０の側面のうち、筐体１１０の主面における長辺側の一方の側面の内面側に、直線状に張り付けられている。これは、この位置が、第１側面及び第２側面以外の位置のうち、携帯端末１００の内部に格納されている金属部品、電子部品等からも比較的遠く離れた位置であるためである。
【００２８】
第１アンテナ５１０と、第２アンテナ５２０と、第３アンテナ５３０と、第４アンテナ５４０とは、それぞれ、回路基板２６０に形成された配線のうちの１つと電気的に接続される。
図６は、第１アンテナ５１０と第２アンテナ５２０とについて、それぞれが、回路基板２６０に形成された配線のうちの１つと電気的に接続している様子を示す模式図である。
【００２９】
同図において、第１ポゴピン６１０は、先端がバネで伸縮する導電性可動型プローブピンであって、その終端は、回路基板２６０に形成された配線６３０にはんだ付けされ、その先端は、回路基板２６０が筐体１１０に対して固定されている状態において、第１アンテナ５１０の一端に接触する。
第２ポゴピン６２０は、第１ポゴピン６１０と同様の、先端がバネで伸縮する導電性可動型プローブピンであって、その終端は、回路基板２６０に形成された配線６４０にはんだ付けされ、その先端は、回路基板２６０が筐体１１０に対して固定されている状態において、第２アンテナ５２０の一端に接触する。
【００３０】
図６に示されるように、第１アンテナ５１０は、第１ポゴピン６１０を介して、回路基板２６０に形成された配線６３０と電気的に接続され、第２アンテナ５２０は、第２ポゴピン６２０を介して、回路基板２６０に形成された配線６４０と電気的に接続される。
また、図示はしていないが、第３アンテナ５３０と第４アンテナ５４０とについても、第１アンテナ５１０、第２アンテナ５２０の場合と同様に、それぞれ、ポゴピンを介して、回路基板２６０に形成された配線のうちの１つと電気的に接続される。
【００３１】
図７は、携帯端末１００の回路構成を示すブロック図である。
同図に示されるように、携帯端末１００は、第１アンテナ５１０と、整合回路７２１と、第１グラウンド７１０と、第２アンテナ５２０と、整合回路７２２と、第２グラウンド７２０と、第３アンテナ５３０と、整合回路７２３と、第４アンテナ５４０と、整合回路７２４と、ＣＰＵ２６１と、ＣＤＭＡ通信用ＬＳＩ２６２と、ＬＴＥ通信用ＬＳＩ２６３と、メモリ２６４と、ＧＰＳ通信用ＬＳＩ２６５と、タッチパネルコントローラ２６６と、タッチパッド２２２と、液晶ディスプレイ２２４と、レシーバ２３０と、マイク２４０と、電池２８０とから構成される。
【００３２】
第１グラウンド７１０は、第１アンテナ５１０の接地に利用されるグラウンドであって、金属フレーム２５０と接続線２７０と配線８００とからなるグラウンド構造体によって実現される。この第１グラウンド７１０は、第２グラウンド７２０と分離されており、さらに、第１アンテナ５１０以外の電子部品によって接地に利用されることがない。
ここで、第１グラウンド７１０と第２グラウンド７２０とが分離されているとは、第１グラウンド７１０と第２グラウンド７２０とが導体等によってＤＣ結合されていない状態のことを言う。
【００３３】
第２グラウンド７２０は、第２アンテナ５２０の接地、第３アンテナ５３０の接地、第４アンテナ５４０の接地、ＣＰＵ２６１の接地、ＣＤＭＡ通信用ＬＳＩ２６２の接地、ＬＴＥ通信用ＬＳＩ２６３の接地、メモリ２６４の接地、ＧＰＳ通信用ＬＳＩ２６５の接地、タッチパネルコントローラ２６６の接地、タッチパッド２２２の接地、液晶ディスプレイ２２４の接地、レシーバ２３０の接地、マイク２４０の接地、及び電池２８０の負極の接続に利用されるグラウンドであって、グラウンドプレーン４６５とグラウンド接続ビア９１０と配線９００とからなるグラウンド構造体によって実現される。
【００３４】
整合回路７２１〜整合回路７２４は、それぞれ、接続される端子間のインピーダンスをマッチングさせるための回路である。
整合回路７２１は、インダクタ７３１によって構成され、第１アンテナ５１０と第１グラウンド７１０とＣＤＭＡ通信用ＬＳＩ２６２とに接続される。
整合回路７２２は、インダクタ７３２によって構成され、第２アンテナ５２０と第２グラウンド７２０とＬＴＥ通信用ＬＳＩ２６３とに接続される。
【００３５】
整合回路７２３は、インダクタ７３３によって構成され、第３アンテナ５３０と第２グラウンド７２０とＣＤＭＡ通信用ＬＳＩ２６２とＬＴＥ通信用ＬＳＩ２６３とに接続される。
整合回路７２４は、インダクタ７３４によって構成され、第４アンテナ５４０と第２グラウンド７２０とＧＰＳ通信用ＬＳＩ２６５とに接続される。
【００３６】
第１アンテナ５１０は、インダクタ７３１とＣＤＭＡ通信用ＬＳＩ２６２とに接続される。そして、インダクタ７３１を介して第１グラウンド７１０に接地されている。
図８は、第１アンテナ５１０が、インダクタ７３１を介して第１グラウンド７１０を実現する金属フレーム２５０に接地されている様子を示す模式図である。
同図に示されるように、第１アンテナ５１０は、第１ポゴピン６１０を介して、インダクタ７３１の一方の端子が接続される配線６３０に接続される。そして、インダクタ７３１の他方の端子は、配線８００と接続線２７０とを介して、金属フレーム２５０に接続されている。このようにして、第１アンテナ５１０は、インダクタ７３１を介して第１グラウンド７１０に接地されている。
【００３７】
再び図７に戻って、携帯端末１００の回路構成についての説明を続ける。
第２アンテナ５２０は、インダクタ７３２とＬＴＥ通信用ＬＳＩ２６３とに接続される。そして、インダクタ７３２を介して第２グラウンド７２０に接地されている。
図９は、第２アンテナ５２０が、インダクタ７３２を介して第２グラウンド７２０を実現するグラウンドプレーン４６５に接地されている様子を示す模式図である。ここで、図９は、実際には直接視認できない、グラウンドプレーン４６５とグラウンド接続ビア９１０とについて、破線を用いてあたかも視認できるかのように図示している。
【００３８】
図９に示されるように、第２アンテナ５２０は、第２ポゴピン６２０を介して、インダクタ７３２の一方の端子が接続される配線６４０に接続される。そして、インダクタ７３２の他方の端子は、配線９００とグラウンド接続ビア９１０を介して、グラウンドプレーン４６５に接続されている。このようにして、第２アンテナ５２０は、インダクタ７３２を介して第２グラウンド７２０に接地されている。
【００３９】
再び図７に戻って、携帯端末１００の回路構成についての説明を続ける。
第３アンテナ５３０は、インダクタ７３３とＣＤＭＡ通信用ＬＳＩ２６２とＬＴＥ通信用ＬＳＩ２６３とに接続される。そして、インダクタ７３３を介して第２グラウンド７２０に接地されている。第３アンテナ５３０の、インダクタ７３３を介してなされる第２グラウンド７２０への接地は、特に図示して説明はしないが、第２アンテナ５２０の、インダクタ７３２を介してなされる第２グラウンドへの接地と同様に、ポゴピンとグラウンド接続ビアとを介してグラウンドプレーン４６５に接続されることでなされている。
【００４０】
第４アンテナ５４０は、インダクタ７３４とＧＰＳ通信用ＬＳＩ２６５とに接続される。そして、インダクタ７３４を介して第２グラウンド７２０に接地されている。第４アンテナ５４０の、インダクタ７３４を介してなされる第２グラウンド７２０への接地は、特に図示して説明はしないが、第２アンテナ５２０の、インダクタ７３２を介してなされる第２グラウンドへの接地と同様に、ポゴピンとグラウンド接続ビアとを介してグラウンドプレーン４６５に接続されることでなされている。
【００４１】
ＣＤＭＡ通信用ＬＳＩ２６２は、第１アンテナ５１０とインダクタ７３１と第３アンテナ５３０とインダクタ７３３とＣＰＵ２６１とに接続され、ＣＰＵ２６１によって制御される。そして、ＣＰＵ２６１から送られて来た信号を、８００ＭＨｚ帯のＣＤＭＡ通信用コーデックに準拠して符号化する符号処理機能と、符号化した信号を、８００ＭＨｚ帯のＣＤＭＡ通信用信号に変調する変調機能と、変調した信号を、第１アンテナ５１０を利用して外部機器に送信する送信機能と、外部機器から送信された８００ＭＨｚ帯のＣＤＭＡ通信用信号を、第１アンテナ５１０、又は／及び第３アンテナ５３０を利用して受信する受信機能と、受信した信号を復調する復調機能と、復調した信号を、８００ＭＨｚ帯のＣＤＭＡ通信用コーデックに準拠して復号する復号処理機能とを有する。
【００４２】
ＣＤＭＡ通信用ＬＳＩ２６２によって実現される機能のより詳細については、後程図面を用いて説明する。
ＬＴＥ通信用ＬＳＩ２６３は、第２アンテナ５２０とインダクタ７３２と第３アンテナ５３０とインダクタ７３３とＣＰＵ２６１とに接続され、ＣＰＵ２６１によって制御される。そして、ＣＰＵ２６１から送られて来た信号を、７００ＭＨｚ帯のＬＴＥ通信用コーデックに準拠して符号化する符号化機能と、符号化した信号を、７００ＭＨｚ帯のＬＴＥ通信用信号に変調する変調機能と、変調した信号を、第２アンテナ５２０を利用して外部機器に送信する送信機能と、外部機器から送信された７００ＭＨｚ帯のＬＴＥ通信用信号を、第２アンテナ５２０、又は／及び第３アンテナ５３０を利用して受信する受信機能と、受信した信号を復調する復調機能と、復調した信号を、７００ＭＨｚ帯のＬＴＥ通信用コーデックに準拠して復号する復号機能とを有する。
【００４３】
以下、ＣＤＭＡ通信用ＬＳＩ２６２とＬＴＥ通信用ＬＳＩ２６３とによって実現される機能について、図面を用いてより詳細に説明する。
図１０は、ＣＤＭＡ通信用ＬＳＩ２６２の機能構成と、ＬＴＥ通信用ＬＳＩ２６３の機能構成とを示すブロック図である。
同図に示されるように、ＣＤＭＡ通信用ＬＳＩ２６２は、送受信分離部１０１１と、メイン受信部１０１２と、サブ受信部１０１３と、受信方式切替部１０１４と、復調部１０１５と、送信部１０１６と、変調部１０１７と、信号処理部１０１８とから構成される。そして、ＬＴＥ通信用ＬＳＩ２６３は、送受信分離部１０２１と、メイン受信部１０２２と、サブ受信部１０２３と、受信方式切替部１０２４と、復調部１０２５と、送信部１０２６と、変調部１０２７と、信号処理部１０２８とから構成される。
【００４４】
図１０では、図面を簡略化するために、第１アンテナ５１０がＣＤＭＡ通信用ＬＳＩ２６２にあたかも直接接続されているように図示されているが、実際には、図７に示されるように、整合回路７２１を介して接続されている。第２アンテナ５２０、第３アンテナ５３０についても同様である。
送受信分離部１０１１は、第１アンテナ５１０と、メイン受信部１０１２と、送信部１０１６とに接続され、送信部１０１６から第１アンテナ５１０への送信経路と、第１アンテナ５１０からメイン受信部１０１２への受信経路とを電気的に分離する機能を有する。一例として、フィルタ群からなるデュプレクサによって実現される。
【００４５】
メイン受信部１０１２は、送受信分離部１０１１と、受信方式切替部１０１４とに接続され、第１アンテナ５１０を利用して、８００ＭＨｚ帯のＣＤＭＡ通信用信号受信し、受信した信号を、受信方式切替部１０１４へ送る機能を有する。
サブ受信部１０１３は、第３アンテナ５３０と、受信方式切替部１０１４とに接続され、第３アンテナ５３０を利用して、８００ＭＨｚ帯のＣＤＭＡ通信用信号受信し、受信した信号を、受信方式切替部１０１４へ送る機能を有する。
【００４６】
また、サブ受信部１０１３を実現する回路群は、後述するように、受信方式切替部１０１４によって、電力の供給と遮断とが制御される。そして、サブ受信部１０１３を実現する回路群への電力の供給が遮断されている場合には、サブ受信部１０１３を実現する回路群への電力が供給されている場合に比べて、ＣＤＭＡ通信用ＬＳＩ２６２で消費される電力が削減されることとなる。
【００４７】
受信方式切替部１０１４は、メイン受信部１０１２と、サブ受信部１０１３と、復調部１０１５と、信号処理部１０１８とに接続され、以下の、第１受信信号合成機能と、第１受信信号単独出力機能と、第１サブ受信部電力制御機能とを有する。
第１受信信号合成機能は、信号処理部１０１８から送られて来るフレームエラーレート（後述。「ＦＥＲ」とも書く。）が所定値Ｒ１（例えば、５％）以上の場合に、メイン受信部１０１２から送られて来た信号とサブ受信部１０１３から送られて来た信号とを合成し、合成した信号を、復調部１０１５へ送る機能である。
【００４８】
第１受信信号単独出力機能は、信号処理部１０１８から送られて来るフレームエラーレートが所定値Ｒ１未満の場合に、メイン受信部１０１２から送られて来た信号を選択して復調部１０１５へ送る機能である。この際、例え、サブ受信部１０１３から信号が送られてきていたとしても、メイン受信部１０１２から送られて来た信号に、サブ受信部１０１３から送られて来た信号を合成することはしない。
【００４９】
なお、受信方式切替部１０１４は、信号処理部１０１８から送られて来るフレームエラーレートが所定値Ｒ１以上の場合であっても、所定時間Ｔ１（例えば、１秒）毎に、一定期間、メイン受信部１０１２から送られて来た信号とサブ受信部１０１３から送られて来た信号とを合成せずに、メイン受信部１０１２から送られて来た信号を選択して復調部１０１５へ送る。また、受信方式切替部１０１４は、携帯端末１００が８００ＭＨｚ帯のＣＤＭＡ通信用信号の受信を開始した直後の初期状態において、信号処理部１０１８から未だフレームエラーレートが送られてきていない期間には、メイン受信部１０１２から送られて来た信号とサブ受信部１０１３から送られて来た信号とを合成せずに、メイン受信部１０１２から送られて来た信号を選択して復調部１０１５へ送る。
【００５０】
第１サブ受信部電力制御機能は、信号処理部１０１８から送られて来るフレームエラーレートが所定値Ｒ１未満である場合に、サブ受信部１０１３を実現する回路群へ供給する電力を遮断して、サブ受信部１０１３を停止させ、信号処理部１０１８から送られて来るフレームエラーレートが所定値Ｒ１以上である場合に、サブ受信部１０１３を実現する回路群へ電力を供給して、サブ受信部１０１３を起動させる機能である。
【００５１】
復調部１０１５は、受信方式切替部１０１４と、信号処理部１０１８とに接続され、受信方式切替部１０１４から送られてきた、８００ＭＨｚ帯のＣＤＭＡ通信用信号を復調し、復調した信号を信号処理部１０１８に送る機能を有する。
変調部１０１７は、信号処理部１０１８と、送信部１０１６とに接続され、信号処理部１０１８から送られて来た信号を、８００ＭＨｚ帯のＣＤＭＡ通信用信号に変調し、変調した信号を送信部１０１６に送る機能を有する。
【００５２】
送信部１０１６は、変調部１０１７と、送受信分離部１０１１とに接続され、変調部１０１７から送られて来た信号を、第１アンテナ５１０を利用して送信する機能を有する。
信号処理部１０１８は、復調部１０１５と、変調部１０１７と、ＣＰＵ２６１とに接続され、以下の、第１符号機能と、第１復号機能と、第１フレームエラーレート算出機能とを有する。
【００５３】
第１符号機能は、ＣＰＵ２６１から送られて来た信号を、８００ＭＨｚ帯のＣＤＭＡ通信用コーデックに準拠して符号化し、符号化した信号を変調部１０１７へ送る機能である。
第１復号機能は、復調部１０１５から送られて来た信号を、８００ＭＨｚ帯のＣＤＭＡ通信用コーデックに準拠して復号し、復号した信号をＣＰＵ２６１へ送る機能である。
【００５４】
第１フレームエラーレート算出機能は、所定時間Ｔ１毎に、復号した信号における、フレーム単位の誤り発生率を示すフレームエラーレートを算出し、算出したフレームエラーレートを、受信方式切替部１０１４へ送る機能である。
送受信分離部１０２１は、第２アンテナ５２０と、メイン受信部１０２２と、送信部１０２６とに接続され、送信部１０２６から第２アンテナ５２０への送信経路と、第２アンテナ５２０からメイン受信部１０２２への受信経路とを電気的に分離する機能を有する。一例として、フィルタ群からなるデュプレクサによって実現される。
【００５５】
メイン受信部１０２２は、送受信分離部１０２１と、受信方式切替部１０２４とに接続され、第２アンテナ５２０を利用して、７００ＭＨｚ帯のＬＴＥ通信用信号受信し、受信した信号を、受信方式切替部１０２４へ送る機能を有する。
サブ受信部１０２３は、第３アンテナ５３０と、受信方式切替部１０１４とに接続され、第３アンテナ５３０を利用して、７００ＭＨｚ帯のＬＴＥ通信用信号受信し、受信した信号を、受信方式切替部１０２４へ送る機能を有する。
【００５６】
また、サブ受信部１０２３を実現する回路群は、後述するように、受信方式切替部１０２４によって、電力の供給と遮断とが制御される。そして、サブ受信部１０２３を実現する回路群への電力の供給が遮断されている場合には、サブ受信部１０２３を実現する回路群への電力が供給されている場合に比べて、ＬＴＥ通信用ＬＳＩ２６３で消費される電力が削減されることとなる。
【００５７】
受信方式切替部１０２４は、メイン受信部１０２２と、サブ受信部１０２３と、復調部１０２５と、信号処理部１０２８とに接続され、以下の、第２受信信号合成機能と、第２受信信号単独出力機能と、第２サブ受信部電力制御機能とを有する。
第２受信信号合成機能は、信号処理部１０２８から送られて来るフレームエラーレートが所定値Ｒ２（例えば、５％）以上の場合に、メイン受信部１０２２から送られて来た信号とサブ受信部１０２３から送られて来た信号とを合成し、合成した信号を、復調部１０２５へ送る機能である。
【００５８】
第２受信信号単独出力機能は、信号処理部１０２８から送られて来るフレームエラーレートが所定値Ｒ２未満の場合に、メイン受信部１０２２から送られて来た信号を選択して復調部１０２５へ送る機能である。この際、例え、サブ受信部１０２３から信号が送られてきていたとしても、メイン受信部１０２２から送られて来た信号に、サブ受信部１０２３から送られて来た信号を合成することはしない。
【００５９】
なお、受信方式切替部１０２４は、信号処理部１０２８から送られて来るフレームエラーレートが所定値Ｒ２以上の場合であっても、所定時間Ｔ２（例えば、１秒）毎に、一定期間、メイン受信部１０２２から送られて来た信号とサブ受信部１０２３から送られて来た信号とを合成せずに、メイン受信部１０２２から送られて来た信号を選択して復調部１０２５へ送る。また、受信方式切替部１０２４は、携帯端末１００が７００ＭＨｚ帯のＬＴＥ通信用信号の受信を開始した直後の初期状態において、信号処理部１０２８から未だフレームエラーレートが送られてきていない期間には、メイン受信部１０２２から送られて来た信号とサブ受信部１０２３から送られて来た信号とを合成せずに、メイン受信部１０２２から送られて来た信号を選択して復調部１０２５へ送る。
【００６０】
第２サブ受信部電力制御機能は、信号処理部１０２８から送られて来るフレームエラーレートが所定値Ｒ２未満である場合に、サブ受信部１０２３を実現する回路群へ供給する電力を遮断して、サブ受信部１０２３を停止させ、信号処理部１０２８から送られて来るフレームエラーレートが所定値Ｒ２以上である場合に、サブ受信部１０２３を実現する回路群へ電力を供給して、サブ受信部１０２３を起動させる機能である。
【００６１】
復調部１０２５は、受信方式切替部１０２４と、信号処理部１０２８とに接続され、受信方式切替部１０２４から送られてきた、７００ＭＨｚ帯のＬＴＥ通信用信号を復調し、復調した信号を信号処理部１０２８に送る機能を有する。
変調部１０２７は、信号処理部１０２８と、送信部１０２６とに接続され、信号処理部１０２８から送られて来た信号を、７００ＭＨｚ帯のＬＴＥ通信用信号に変調し、変調した信号を送信部１０２６に送る機能を有する。
【００６２】
送信部１０２６は、変調部１０２７と、送受信分離部１０２１とに接続され、変調部１０２７から送られて来た信号を、第２アンテナ５２０を利用して送信する機能を有する。
信号処理部１０２８は、復調部１０２５と、変調部１０２７と、ＣＰＵ２６１とに接続され、以下の、第２符号機能と、第２復号機能と、第２フレームエラーレート算出機能とを有する。
【００６３】
第２符号機能は、ＣＰＵ２６１から送られて来た信号を、７００ＭＨｚ帯のＬＴＥ通信用コーデックに準拠して符号化し、符号化した信号を変調部１０２７へ送る機能である。
第２復号機能は、復調部１０２５から送られて来た信号を、７００ＭＨｚ帯のＬＴＥ通信用コーデックに準拠して復号し、復号した信号をＣＰＵ２６１へ送る機能である。
第２フレームエラーレート算出機能は、所定時間Ｔ２毎に、復号した信号における、フレーム単位の誤り発生率を示すフレームエラーレートを算出し、算出したフレームエラーレートを、受信方式切替部１０２４へ送る機能である。
【００６４】
再び図７に戻って、携帯端末１００の回路構成についての説明を続ける。
ＧＰＳ通信用ＬＳＩ２６５は、第４アンテナ５４０とインダクタ７３４とＣＰＵ２６１とに接続され、ＣＰＵ２６１によって制御される。そして、ＧＰＳ用衛星から送信された１．５ＧＨｚ帯のＧＰＳ通信用信号を、第４アンテナ５４０を利用して受信する受信機能と、受信した信号を復調する復調機能と、復調した信号を、１．５ＧＨｚ帯のＧＰＳ通信用コーデックに準拠して復号する復号機能とを有する。
【００６５】
タッチパッド２２２は、タッチパネルコントローラ２６６に接続され、タッチパネルコントローラ２６６によって制御される透明なタッチパッドであって、携帯端末１００を利用するユーザの接触操作を受け付ける機能を有する。このタッチパッド２２２は、液晶ディスプレイ２２４の表示面に重ね合わせられることでタッチパネル２２０を形成する。
液晶ディスプレイ２２４は、タッチパネルコントローラ２６６に接続され、タッチパネルコントローラ２６６によって制御される液晶ディスプレイであって、画像を表示する機能を有する。この液晶ディスプレイ２２４は、タッチパッド２２２をその表示面に重ね合わせられることでタッチパネル２２０を形成する。
【００６６】
タッチパネルコントローラ２６６は、ＣＰＵ２６１とタッチパッド２２２と液晶ディスプレイ２２４とに接続され、ＣＰＵ２６１によって制御され、ＣＰＵ２６１から送られてくる画像信号に基づく画像を、液晶ディスプレイ２２４に表示させる表示機能と、携帯端末１００を利用するユーザが、タッチパッド２２２を用いて行う接触操作を、電気信号に変換してＣＰＵ２６１に送る操作受付機能とを有する。
【００６７】
レシーバ２３０は、ＣＰＵ２６１に接続され、ＣＰＵ２６１によって制御され、ＣＰＵ２６１から送られる電気信号を音声に変換して、変換した音声を、レシーバ孔１３０（図１、図２参照）を通して筐体１１０外部に出力する機能を有する。
マイク２４０は、ＣＰＵ２６１に接続され、マイク孔１４０（図１、図２参照）を通して筐体１１０外部から入力される音声を電気信号に変換して、変換した電気信号をＣＰＵ２６１へ送る機能を有する。
【００６８】
メモリ２６４は、ＣＰＵ２６１に接続され、ＣＰＵ２６１の動作を規定するプログラムと、ＣＰＵ２６１が利用するデータとを記憶する。
電池２８０は、ＣＰＵ２６１と、ＣＤＭＡ通信用ＬＳＩ２６２と、ＬＴＥ通信用ＬＳＩ２６３と、メモリ２６４と、ＧＰＳ通信用ＬＳＩ２６５と、タッチパネルコントローラ２６６と、タッチパッド２２２と、液晶ディスプレイ２２４と、レシーバ２３０と、マイク２４０とに電力を供給する。
【００６９】
ＣＰＵ２６１は、ＣＤＭＡ通信用ＬＳＩ２６２と、ＬＴＥ通信用ＬＳＩ２６３と、メモリ２６４と、ＧＰＳ通信用ＬＳＩ２６５と、タッチパネルコントローラ２６６と、レシーバ２３０と、マイク２４０とに接続される。そして、メモリ２６４に記憶されているプログラムを実行することで、これら接続される回路を制御して、携帯端末１００に、従来のスマートフォンが有する、スマートフォンとしての一般的な機能と同等な機能、例えば、通話機能、インターネットサイト閲覧機能、メール送受信機能、待ち受け機能等を実現させる機能を有する。
【００７０】
以上のように構成される携帯端末１００は、第１受信方式切替処理と、第２受信方式切替処理とを実行する。以下、これらの処理について、フローチャートを参照しながら説明する。
＜動作＞
＜第１受信方式切替処理＞
第１受信方式切替処理は、携帯端末１００が、８００ＭＨｚ帯のＣＤＭＡ通信用の信号を受信している期間において実行される処理であって、受信した信号のフレームエラーレートに応じて、その受信方式を、シングルアンテナ方式とダイバーシティアンテナ方式との間で切り替える処理である。
【００７１】
図１１は、第１受信方式切替処理のフローチャートである。
第１受信方式切替処理は、携帯端末１００が、８００ＭＨｚ帯のＣＤＭＡ通信用信号の受信を開始することで開始される。
第１受信方式切替処理が開始されると、受信方式切替部１０１４は、受信方式切替部１０１４の状態を、メイン受信部１０１２から送られて来た信号を選択して復調部１０１５へ送る状態に設定する（ステップＳ１１００）。
【００７２】
受信方式切替部１０１４がこのように設定されることで、復調部１０１５が、第１アンテナ５１０を利用して受信された信号を復調することとなるため、携帯端末１００は、第１アンテナ５１０を利用したシングルアンテナ方式で８００ＭＨｚ帯のＣＤＭＡ通信用の信号を受信することとなる（ステップＳ１１１０）。
復調部１０１５は、受信方式切替部１０１４から送られて来た信号を復調して、信号処理部１０１８に送り、信号処理部１０１８は、復調部１０１５から送られて来た信号を復号する。そして、信号処理部１０１８は、復号した信号におけるフレームエラーレートを算出して（ステップＳ１１２０）、算出したフレームエラーレートを受信方式切替部１０１４に送る。
【００７３】
受信方式切替部１０１４は、フレームエラーレートが送られて来ると、そのフレームエラーレートが、所定値Ｒ１以上であるか否かを調べる（ステップＳ１１３０）。
ステップＳ１１３０の処理において、フレームエラーレートが所定値Ｒ１以上である場合に（ステップＳ１１３０：Ｙｅｓ）、受信方式切替部１０１４は、サブ受信部１０１３を実現する回路群へ供給する電力が遮断されてサブ受信部１０１３が停止していれば、サブ受信部１０１３を実現する回路群へ電力を供給して、サブ受信部１０１３を起動させる（ステップＳ１１４０）。そして、受信方式切替部１０１４は、受信方式切替部１０１４の状態を、メイン受信部１０１２から送られて来た信号とサブ受信部１０１３から送られて来た信号とを合成して復調部１０１５へ送る状態に設定する（ステップＳ１１５０）。
【００７４】
受信方式切替部１０１４がこのように設定されることで、復調部１０１５が、第１アンテナ５１０を利用して受信された信号と第３アンテナ５３０を利用して受信された信号とが合成された信号を復調することとなるため、携帯端末１００は、第１アンテナ５１０と第３アンテナ５３０とを利用したダイバーシティアンテナ方式で８００ＭＨｚ帯のＣＤＭＡ通信用の信号を受信することとなる（ステップＳ１１６０）。
【００７５】
ステップＳ１１３０の処理において、フレームエラーレートが所定値Ｒ１以上でない場合に（ステップＳ１１３０：Ｎｏ）、受信方式切替部１０１４は、サブ受信部１０１３を実現する回路群に電力が供給されてサブ受信部１０１３が起動していれば、サブ受信部１０１３を実現する回路群へ供給する電力を遮断して、サブ受信部１０１３を停止させる（ステップＳ１１７０）。
【００７６】
サブ受信部１０１３を実現する回路群が停止することで、サブ受信部１０１３を実現する回路群が起動している状態よりも、携帯端末１００の消費電力を低減させることができる。
ステップＳ１１６０の処理が終了した場合と、ステップＳ１１７０の処理が終了した場合とにおいて、受信方式切替部１０１４は、第１受信方式切替処理が開始された時点、又は前回所定時間Ｔ１の経過を計測した時点から、所定時間Ｔ１が経過すると（ステップＳ１１８０：Ｎｏを繰り返した後、ステップＳ１１８０：Ｙｅｓ）、携帯端末１００は、再びステップＳ１１００の処理に戻って、ステップＳ１１００以降の処理を繰り返す。
【００７７】
＜第２受信方式切替処理＞
第２受信方式切替処理は、携帯端末１００が、７００ＭＨｚ帯のＬＴＥ通信用の信号を受信している期間において実行される処理であって、受信した信号のフレームエラーレートに応じて、その受信方式を、シングルアンテナ方式とダイバーシティアンテナ方式との間で切り替える処理である。
【００７８】
図１２は、第２受信方式切替処理のフローチャートである。
第２受信方式切替処理は、携帯端末１００が、７００ＭＨｚ帯のＬＴＥ通信用信号の受信を開始することで開始される。
第２受信方式切替処理が開始されると、受信方式切替部１０２４は、受信方式切替部１０２４の状態を、メイン受信部１０２２から送られて来た信号を選択して復調部１０２５へ送る状態に設定する（ステップＳ１２００）。
【００７９】
受信方式切替部１０２４がこのように設定されることで、復調部１０２５が、第１アンテナ５１０を利用して受信された信号を復調することとなるため、携帯端末１００は、第２アンテナ５２０を利用したシングルアンテナ方式で７００ＭＨｚ帯のＬＴＥ通信用の信号を受信することとなる（ステップＳ１２１０）。
復調部１０２５は、受信方式切替部１０２４から送られて来た信号を復調して、信号処理部１０２８に送り、信号処理部１０２８は、復調部１０２５から送られて来た信号を復号する。そして、信号処理部１０２８は、復号した信号におけるフレームエラーレートを算出して（ステップＳ１２２０）、算出したフレームエラーレートを受信方式切替部１０２４に送る。
【００８０】
受信方式切替部１０２４は、フレームエラーレートが送られて来ると、そのフレームエラーレートが、所定値Ｒ２以上であるか否かを調べる（ステップＳ１２３０）。
ステップＳ１２３０の処理において、フレームエラーレートが所定値Ｒ２以上である場合に（ステップＳ１２３０：Ｙｅｓ）、受信方式切替部１０２４は、サブ受信部１０２３を実現する回路群へ供給する電力が遮断されてサブ受信部１０２３が停止していれば、サブ受信部１０２３を実現する回路群へ電力を供給して、サブ受信部１０２３を起動させる（ステップＳ１２４０）。そして、受信方式切替部１０２４は、受信方式切替部１０２４の状態を、メイン受信部１０２２から送られて来た信号とサブ受信部１０２３から送られて来た信号とを合成して復調部１０２５へ送る状態に設定する（ステップＳ１２５０）。
【００８１】
受信方式切替部１０２４がこのように設定されることで、復調部１０２５が、第２アンテナ５２０を利用して受信された信号と第３アンテナ５３０を利用して受信された信号とが合成された信号を復調することとなるため、携帯端末１００は、第２アンテナ５２０と第３アンテナ５３０とを利用したダイバーシティアンテナ方式で７００ＭＨｚ帯のＬＴＥ通信用の信号を受信することとなる（ステップＳ１２６０）。
【００８２】
ステップＳ１２３０の処理において、フレームエラーレートが所定値Ｒ２以上でない場合に（ステップＳ１２３０：Ｎｏ）、受信方式切替部１０２４は、サブ受信部１０２３を実現する回路群に電力が供給されてサブ受信部１０２３が起動していれば、サブ受信部１０２３を実現する回路群へ供給する電力を遮断して、サブ受信部１０２３を停止させる（ステップＳ１２７０）。
【００８３】
サブ受信部１０２３を実現する回路群が停止することで、サブ受信部１０２３を実現する回路群が起動している状態よりも、携帯端末１００の消費電力を低減させることができる。
ステップＳ１２６０の処理が終了した場合と、ステップＳ１２７０の処理が終了した場合とにおいて、受信方式切替部１０２４は、第１受信方式切替処理が開始された時点、又は前回所定時間Ｔ２の経過を計測した時点から、所定時間Ｔ２が経過すると（ステップＳ１２８０：Ｎｏを繰り返した後、ステップＳ１２８０：Ｙｅｓ）、携帯端末１００は、再びステップＳ１２００の処理に戻って、ステップＳ１２００以降の処理を繰り返す。
＜補足＞
以上、本発明に係る携帯端末の実施形態について、実施の形態において、携帯端末１００を例示して説明したが、以下のように変形することも可能であり、本発明は、実施の形態において例示した携帯端末１００に限られないことはもちろんである。
【００８４】
（１）実施の形態において、携帯端末１００は、第１アンテナ５１０が８００ＭＨｚ帯のＣＤＭＡ通信方式による通信に利用されるアンテナであって、第２アンテナ５２０が７００ＭＨｚ帯のＬＴＥ通信方式による通信に利用されるアンテナである構成の例であるとして説明した。しかしながら、必ずしも、第１アンテナ５１０が８００ＭＨｚ帯のＣＤＭＡ通信方式による通信に利用されるアンテナであって、第２アンテナ５２０が７００ＭＨｚ帯のＬＴＥ通信方式による通信に利用されるアンテナである構成に限定されない。一例として、第１アンテナ５１０が２．０ＧＨｚ帯のＣＤＭＡ通信方式による通信に利用されるアンテナであって、第２アンテナ５２０が２．０ＧＨｚ帯のＬＴＥ通信方式に利用されるアンテナである構成の例が考えられる。また、別の一例として、第１アンテナ５１０が７００ＭＨｚ帯のＬＴＥ通信方式による通信に利用されるアンテナであって、第２アンテナ５２０が８００ＭＨｚ帯のＣＤＭＡ通信方式による通信に利用されるアンテナである構成の例が考えられる。また、さらに別の一例として、第１アンテナ５１０が２．４ＧＨｚ帯のブルートゥース通信方式による通信に利用されるアンテナであって、第２アンテナ５２０が５．０ＧＨｚ帯のＷｉＦｉ通信方式による通信に利用されるアンテナである構成の例等が考えられる。
【００８５】
（２）実施の形態において、携帯端末１００は、第１グラウンド７１０が金属フレーム２５０によって実現される構成の例であるとして説明した。しかしながら、第１グラウンド７１０が、第２グラウンド７２０から分離され、第１アンテナ５１０のグラウンドとして機能することができる導電性の物体によって実現されれば、必ずしも、金属フレーム２５０によって実現される構成に限定されない。一例として、回路基板２６０が、グラウンドプレーン４６５に対して分離された別のグラウンドプレーンを形成する第４配線層をさらに備えており、第１グラウンド７１０が、その、第４配線層に形成された別のグラウンドプレーンによって実現される構成の例等が考えられる。
【００８６】
（３）実施の形態において、携帯端末１００は、第１アンテナ５１０と第２アンテナ５２０とが筐体１１０の第１側面に張り付けられて配置されている構成の例であるとして説明した。しかしながら、第１アンテナ５１０と第２アンテナ５２０とが、携帯端末１００が基地局と通信するにあたって不適切な位置に配置されていなければ、必ずしも、筐体１１０の第１側面に張り付けられて配置されている構成に限られない。
【００８７】
（４）実施の形態において、携帯端末１００は、第１アンテナ５１０と第２アンテナ５２０とが、それぞれ、モノポールアンテナである構成の例であるとして説明した。しかしながら、第１アンテナ５１０と第２アンテナ５２０とが、それぞれ、グラウンドを接地として利用するアンテナであれば、必ずしも、モノポールアンテナである構成に限られない。
【００８８】
（５）実施の形態において、携帯端末１００は、８００ＭＨｚ帯のＣＤＭＡ通信用の信号を受信する場合、及び、７００ＭＨｚ帯のＬＴＥ通信用の信号を受信する場合に、受信した信号のフレームエラーレートに応じて、その受信方式をシングルアンテナ方式とダイバーシティアンテナ方式との間で切り替える構成の例であるとして説明した。しかしながら、受信における通信品質に応じて、受信方式をシングルアンテナ方式とダイバーシティアンテナ方式との間で切り替えることができれば、必ずしも、受信した信号のフレームエラーレートに応じて、その受信方式を、シングルアンテナ方式とダイバーシティアンテナ方式との間で切り替える構成に限られない。一例として、受信した信号のＲＳＳＩ（Received Signal Strength Indicator）の値に応じて、受信方式をシングルアンテナ方式とダイバーシティアンテナ方式との間で切り替える構成の例等が考えられる。
【００８９】
（６）実施の形態において、携帯端末１００は、整合回路７２１がインダクタ７３１によって構成される構成の例であるとして説明した。しかしながら、接続される端子間のインピーダンスをマッチングさせることができれば、必ずしも、整合回路７２１がインダクタ７３１によって構成される構成に限られない。一例として、インダクタとキャパシタとの組み合わせによって実現される構成の例が考えられる。また、別の一例として、キャパシタのみによって実現される構成の例等が考えられる。
【００９０】
整合回路７２２〜整合回路７２４についても同様のことが言える。
（７）実施の形態において、携帯端末１００は、いわゆるスマートフォンであるとして説明した。しかしながら、複数のアンテナを備える携帯端末であれば、必ずしも、いわゆるスマートフォンである必要はない。一例として、複数のアンテナを備える折り畳み式携帯電話である例等が考えられる。
【００９１】
（８）実施の形態において、携帯端末１００は、第１グラウンド７１０を実現するグラウンド構造体が、金属フレーム２５０と接続線２７０と配線８００とからなるとして説明した。しかしながら、これら金属フレーム２５０と接続線２７０と配線８００とに加えて、インダクタ７３１をも含めてグラウンド構造体と称しても構わない。また、これら金属フレーム２５０と接続線２７０と配線８００とに加えて、インダクタ７３１と配線６３０と第１ポゴピン６１０とをも含めてグラウンド構造体と称しても構わない。
【００９２】
また、実施の形態において、携帯端末１００は、第２グラウンド７２０を実現するグラウンド構造体が、グラウンドプレーン４６５とグラウンド接続ビア９１０と配線９００とからなるとして説明した。しかしながら、これらグラウンドプレーン４６５とグラウンド接続ビア９１０と配線９００とに加えて、インダクタ７３２をも含めてグラウンド構造体と称しても構わない。また、これらグラウンドプレーン４６５とグラウンド接続ビア９１０と配線９００とに加えて、インダクタ７３２と配線６４０と第２ポゴピン６２０とをも含めてグラウンド構造体と称しても構わない。
【００９３】
（９）上記実施の形態及び上記変形例を適宜組み合わせるとしてもよい。
【産業上の利用可能性】
【００９４】
本発明に係る携帯端末は、複数のアンテナを備える機器に広く利用することができる。
【符号の説明】
【００９５】
５１０  第１アンテナ
５２０  第２アンテナ
５３０  第３アンテナ
７１０  第１グラウンド
７２０  第２グラウンド
７２１  整合回路
７２２  整合回路
７２３  整合回路
２６１  ＣＰＵ
２６２  ＣＤＭＡ通信用ＬＳＩ
２６３  ＬＴＥ通信用ＬＳＩ
２６４  メモリ
２６６  タッチパネルコントローラ
２２０  タッチパネル
【図１】
2015122657.tif 000003
【図２】
2015122657.tif 000004
【図３】
2015122657.tif 000005
【図４】
2015122657.tif 000006
【図５】
2015122657.tif 000007
【図６】
2015122657.tif 000008
【図７】
2015122657.tif 000009
【図８】
2015122657.tif 000010
【図９】
2015122657.tif 000011
【図１０】
2015122657.tif 000012
【図１１】
2015122657.tif 000013
【図１２】
2015122657.tif 000014